(57)【要約】セルラ移動体電話システムを介して、予め定義したサービス提供者を自動的に発見する方法。サービス提供者は、サービス提供者制御（地域のＣＳＰシステム）の加入者である。本方法は、発呼者から現在のセルラ電話網（ＣＴＮ）により受信されるクイックダイアリングプログラムを提供することを含む。この呼は次に識別され、サービス提供者制御（地域のＣＳＰシステム）に転送される。転送される情報には、呼が発信された特定セルが含まれる。サービス提供者制御（地域のＣＳＰシステム）は次に、交差発見プログラムを呼び出して、同一セルからの別の移動体加入者を識別し、その識別された移動体加入者に呼をルーティングする。
2004511112.tif 000002
【特許請求の範囲】
【請求項１】
ＣＳＰへの加入者であるサービス提供者と使用者の間の定義された通信の動作をセルラ電話を介して制御する方法である。本方法は、サービス提供者および使用者双方の動作可能信号が所与の時刻に発信されるＣＴＮシステムの地域区分内のセルラセルを見つけるシステムに基づき、
・異なる動作プログラム、更新プログラム、発見プログラム、および加入者の発見管理専用の加入者管理プログラムを特定のパラメータに従って所与の時刻にかつ特定のセルラセルにおいて実行し、使用者を所望の加入者に結び付けるステップであって、前記プログラムは、特定のパラメータおよび特定のパラメータに従う処理コマンドに従い、地域のＣＴＮシステムから入ってきたデータを受信、格納、更新、および処理するための命令を含み、
・発見の更新データおよび一致する符号化された加入者の利用可能性に従い、使用者から受信した符号化された呼を処理するステップを含む。
【請求項２】
ＣＴＮから所定間隔で、信号が発信されたセルラセルに従って、動作中の加入者の場所に関するデータを受信する動作プログラムをさらに含む、請求項１記載の発明。
【請求項３】
使用者からの符号化された呼の受信に応答する動作プログラムをさらに含む、請求項１記載の発明。使用者により要求された符号化済みのサービスカテゴリの加入者の識別リストと、前記呼が到来した時刻の加入者のセルラセル位置とを交差処理することで、前記動作プログラムは使用者と加入者間の接続を実行する。
【請求項４】
前記動作プログラムのそれぞれ独立した機能は、プロセスステップの以下のリスト：
・使用者使用のための音声インタフェースを備えた応答プログラム、
・ＣＴＮコンピュータと通信するための通信プロトコルと、更新プログラムとの通信プロトコルとを含む通信プログラム、
・加入者の管理プログラム、
・統計プログラム、
・使用者により操作される符号に基づく検索システムと、定義されたセルラセルにおいて要求された加入者を見つけるための交差発見プログラムとを含む発見プログラム、
・オンライン更新データを受信し格納するためのシステムを含む更新プログラム、
・前記交差発見プログラムの結果を処理し、加入者のデータベースに格納されたパラメータに基づいて、加入者の呼出優先順位リストを用意するシステム、
・不許可動作使用保護プログラム、
から選択される、請求項３記載の発明。
【請求項５】
更新制御プログラムをさらに含み、それぞれ独立した機能は、プロセスステップの以下のリスト：
・アクセス符号およびメニューの識別、
・通信プログラム：リモート動作プログラムと通信するためのプロトコル、
・加入者プログラム、
・統計プログラム、
・更新プログラム、
・不許可動作使用保護プログラム、
から選択される、請求項１記載の発明。
【請求項６】
決定命令は、使用者により操作される符号化された呼の指示をＣＴＮにより評価することを含み、前記方法は、
・ＣＴＮがＣＳＰへの符号化された呼を参照し、音声インタフェースを用いて検索プログラムを動作し、ユーザが利用可能なサービスの複数の可能な符号から所望のサービスを選択するステップと、
・音声応答プログラムメニューから選択された命令を実行するステップと、
・決定符号化された命令の発生に応答して、使用者が示した呼パラメータを評価するステップと、
・フローを加入者管理プログラムを通して、前記決定命令パラメータに応答する加入者命令リストに向けるステップと、
・発見プログラムにより評価される前記命令リストを実行するステップと、
をさらに含む、請求項４記載の発明。
【請求項７】
利用可能な加入者の第１のリストは、以下のパラメータリスト：
・前記リスト上の加入者の最後の更新信号が発信されたセルラセルの識別と、
・加入者データベースからの加入者の呼出優先順位パラメータと、
を形成する発見プログラムにより選択される、請求項６記載の発明。
【請求項８】
利用可能な加入者の第２のリストは、
・パラメータ（ａ）およびパラメータ（ｂ）を用いて前記第１のリストを処理するステップと、
・使用者の呼が発信された特定のセルラセルにいる優先加入者のマッチングパラメータのみを用いて、前記第２のリストを形成するステップと、
を含む発見プログラムにより選択される、請求項７記載の発明。
【請求項９】
利用可能な加入者の第３のリストは、
・加入者管理プログラムおよび請求項８の第２のリストに含まれるパラメータから、加入者の呼出優先順位リストを用意するステップと、
・ＣＴＮへの通信命令を実行し、使用者と第３のリスト上の最初の加入者との間に接続を実行するステップと、
を含む発見プログラムにより選択される、請求項７記載の発明。
【請求項１０】
前記リスト上のいずれの加入者からも応答がない場合、または使用者のコマンドにより、第３の加入者リストに従い、代替の呼出のためのＣＴＮへの呼出命令をさらに含む、請求項９記載の発明。
【発明の詳細な説明】
発明の分野
本明細書に開示する本発明は、サービス提供者とサービスを必要とする人との間での、所定時刻での定義されたセルラセルにおける両者の局所位置に基づく、セルラ電話を介した発見ブリッジシステムである。
【０００１】
発明の背景
車の修理サービスや単なるタクシーのような急を要するサービスを必要としている人は、電話帳を用いて利用可能なサービス提供者を、または行き当たりばったりでサービス提供者を見つけようとして多大な時間を費やさなければならない。たとえ双方が互いに地理的に近接している場合であっても、双方が目を合わさない限り、双方は互いの存在に気づかないままである。仮にサービス提供者が見つかっても、そのサービス提供者を常に利用できるわけではなく、検索を再びすべて最初から初め、数回これを繰り返すこともある。
【０００２】
これらすべてを回避するため、双方が同時にＣＳＰの領域にいる場合に、サービス提供者制御（ＣＳＰ）が、上に明記された必要性に応じて、迅速かつ効率的な応答を与える。
【０００３】
発明の概要
新規の本発明は、セルラ電話を介して提供するサービス分野における新規方法を提供する。新規サービスは、ＣＳＰシステムの働きにより、セルラ電話網（ＣＴＮ）から絶えず受信するデジタルデータを練り上げて組み合わせる、加入者のプログラムにより動作する。ＣＴＮがクイックダイアリングプログラム済みの符号呼を受信すると、呼を識別してＣＳＰに転送する。ＣＳＰが受信する識別済みデータには、呼を発信したセルラセルに関するデータが含まれる。このデータは、ＣＳＰの交差発見プログラムを開始して、ＣＴＮから受信した最後のデータフローに従い、呼を発信したのと同じセルラセルにいる適した加入者を見つける。交差発見プロセスが完了すると、呼が適した加入者にルーティングされる。
【０００４】
発明の詳細な説明
セルラ電話の使用者（以下、「使用者」と呼ぶ）のセルラ電話に予めプログラムされた符号をクリックすることにより、ＣＴＮが呼をＣＳＰへのクイックダイアリングプログラム済みの呼として識別すると、呼と、呼を発信した特定のセルラセルの識別を含む使用者のすべてのデジタル識別情報とが地域のＣＴＮによりＣＳＰに転送される。ＣＳＰは、使用者により操作された自動返答音声リストを通して必要とされるサービスを識別する。次に、ＣＳＰは、ＣＳＰへの加入者である定義された操業中のサービス提供者（以下、「加入者」と呼ぶ）すべてのデータと、ＣＴＮから受信した、上記加入者の最後の信号を発信したセルラセルの更新されたデータとの交差検索を開始する。使用者と上記加入者がいるセルラセル間でマッチングがあると、ＣＳＰは加入者の番号をＣＴＮを介してダイアルする。ＣＴＮはダイアル要求を受信する。加入者が呼に応答すると、使用者と加入者間の接続が得られる。加入者からの返答を受信しない場合、または使用者からの要求により、呼は自動的にマッチングした加入者のリスト上の次の加入者に転送される。
【図面の簡単な説明】
【図１】
全国的なセルラ電話網（ＣＴＮ）の概観の図。
【図２】
本発明に記載の、ＣＴＮとサービス提供者制御（ＣＳＰ）システムの間の統合の図。
【図１】
2004511112.tif 000003
【図２】
2004511112.tif 000004
【国際公開パンフレット】
2004511112.tif 000005
2004511112.tif 000006
2004511112.tif 000007
2004511112.tif 000008
2004511112.tif 000009
2004511112.tif 000010
2004511112.tif 000011
2004511112.tif 000012
2004511112.tif 000013
2004511112.tif 000014
2004511112.tif 000015
【国際調査報告】
2004511112.tif 000016